(57)【特許請求の範囲】
【請求項１】
コアの周りをクラッドで覆って形成された光ファイバの光軸に直交するＸ軸方向とＹ軸方向の少なくとも１方向から該光ファイバに透過光を照射する光源が光ファイバに対して間隔を介して配置されており、該光源に対して光ファイバを挟んだ反対側には光ファイバと間隔を介して顕微鏡レンズと該顕微鏡レンズによって結像する光ファイバの透過光画像を撮像する画像撮像部とを備えた光ファイバ観察部が設けられ、前記透過光画像の明暗パターンに現れるコア外周縁の暗部のコントラストによってコア位置を検出する光ファイバのコア観察装置であって、前記顕微鏡レンズの球面収差をアンダー収差に構成して前記透過光画像における光ファイバのコア外周縁を認識する暗部のコントラストを高めたことを特徴とする光ファイバのコア観察装置。
【請求項２】
顕微鏡レンズの最大開口数における球面収差をＡとしたときに該顕微鏡レンズの焦点距離ｆに対する該球面収差Ａの割合Ａ／ｆを約−０．０７から約−０．６としたことを特徴とする請求項１記載の光ファイバのコア観察装置。
【発明の詳細な説明】
【０００１】
【発明の属する技術分野】
本発明は、例えば接続用の光ファイバ同士を対向配置してその光軸を合わせるときに用いられる光ファイバのコア観察装置に関するものである。
【０００２】
【従来の技術】
光ファイバは、周知のごとくコアの周りをクラッドで覆って形成されており、例えばシングルモード光ファイバにおいては、空気とクラッドの間で約４０％、クラッドとコアの間で約０．３％の比屈折率差を有している。
【０００３】
また、光ファイバは、光を透過させるために、例えば図６に示すように、光ファイバ３の側方に光源１を設けて、光源１から平行光（透過光）を照射すると、光ファイバ３自体がシリンドリカルレンズや円柱レンズとして機能するようになり、空気とクラッドとの屈折率の差および、クラッドとコアとの屈折率の差により、光ファイバ断面を通過する光は光ファイバの中心方向に曲げられて拡散し、その結果、例えば同図の１０に示すように、光線の粗の部分と密の部分とその他の部分とにコントラストが生じた透過光画像が観測される。
【０００４】
以下、この光ファイバ３の透過光画像１０の得られる原理を説明する。光源１を発した光線は光ファイバ３を通過するものと通過しないものとに分かれ、同図のＡに示すように、光ファイバ３を通過しない光線はそのまま直進し、顕微鏡レンズ９に入射して撮像カメラ６に到達する。なお、撮像カメラ６は、例えば光ファイバ３の直径の３倍から１０倍の大きさであるため、撮像カメラ６に結像する光線は、顕微鏡レンズ９の中心部に入射した光のみである。この光ファイバ３を通過しない光は、光ファイバ３の透過光画像の背景を成すものである。
【０００５】
一方、同図のＢに示すように、光ファイバ３に入射した光線は、前記の如く、光ファイバ３を通過する際に拡散し、同図のＣ１，Ｃ２のように進み、顕微鏡レンズ９の最大開口数（ＮＡ：Ｎｕｍｅｒｉｃａｌ  Ａｐｅｒｔｕｒｅ）で捉えられた光線Ｃ２は撮像カメラ６まで到達して結像し、一方、顕微鏡レンズ９の最大開口数で捉えられなかった光線Ｃ１は撮像カメラ６上に結像できないので、その部分は、透過光画像１０において黒くなる。したがって、この黒い部分と背景との境界である同図のＤに示す部分がクラッドの外周縁として認識できる。
【０００６】
さらに、図７には、図６の破線枠Ｒ内の拡大図が示されているが、光ファイバ３のクラッド５を通過する光線Ｇとコア４を通過する光線Ｆを比較すると、光線Ｆは、コア４とクラッド５との屈折率の差からさらに屈折するため、クラッド５とコア４との境界部においては光線が不足するために、図６の透過光画像１０におけるＥに示すように暗くなり、したがって、この部分Ｅをコア４とクラッド５との境界（コア４の外周縁）と認識できる。
【０００７】
以上のような原理に基づく光ファイバ３の透過光画像１０の明暗パターンから、光ファイバ３のコア４とクラッド５との境界部を検出する方法は、従来から報告されており、例えば特公昭６２−２９７６３号公報、特許番号２５０４７７１などに記載されている。
【０００８】
【発明が解決しようとする課題】
しかしながら、上記のような光ファイバ３の透過光画像１０の明暗パターンを用いてクラッド５とコア４との境界部を検出する際に、明暗パターンのコントラストが低いと、透過光画像１０の画像データに含まれるノイズなどによって測定結果がばらついたり、コア４の位置の測定を誤ってしまうといった問題があった。
【０００９】
また、上記のような透過光画像１０を形成するための光源１には、例えば発光ダイオード（ＬＥＤ）などの単色性の強い光源が用いられるため、光ファイバ３の透過光画像１０に干渉縞が発生することがあり、透過光画像１０のコントラストが低いと、この干渉縞をコア４とクラッド５との境界部と誤認識してコア４の位置を誤ってしまうといった問題もあった。さらに、光ファイバ３の製造上発生するガラスの屈折率の揺らぎによっても光ファイバ３の透過光画像１０に縞模様が現れることがあり、上記コントラストが低いと、この縞模様をコア４とクラッド５との境界部と誤認識してコア４の位置の測定を誤ってしまうといった問題もあった。
【００１０】
本発明は上記課題を解決するために成されたものであり、その目的は、光ファイバに透過光を照射して形成する透過光画像のコントラストを高くすることが可能であり、それにより、光ファイバのコアの位置を正確に検出することができる光ファイバのコア観察装置を提供することにある。
【００１１】
【課題を解決するための手段】
上記目的を達成するために、本発明は次のような構成をもって課題を解決するための手段としている。すなわち、本発明は、コアの周りをクラッドで覆って形成された光ファイバの光軸に直交するＸ軸方向とＹ軸方向の少なくとも１方向から該光ファイバに透過光を照射する光源が光ファイバに対して間隔を介して配置されており、該光源に対して光ファイバを挟んだ反対側には光ファイバと間隔を介して顕微鏡レンズと該顕微鏡レンズによって結像する光ファイバの透過光画像を撮像する画像撮像部とを備えた光ファイバ観察部が設けられ、前記透過光画像の明暗パターンに現れるコア外周縁の暗部のコントラストによってコア位置を検出する光ファイバのコア観察装置であって、前記顕微鏡レンズの球面収差をアンダー収差に構成して前記透過光画像における光ファイバのコア外周縁を認識する暗部のコントラストを高めた構成をもって課題を解決するための手段としている。
【００１２】
また、顕微鏡レンズの球面収差をＡとしたときに該顕微鏡レンズの焦点距離ｆに対する該球面収差Ａの割合Ａ／ｆを約−０．０７から約−０．６としたことも本発明の特徴的な構成とされている。
【００１３】
顕微鏡レンズなどのレンズの球面収差は、曲面を球面で構成したレンズ系において、レンズの中心部を通過する光線の焦点と、レンズの外周付近を通過する光線の焦点が一致しない現象である。この球面収差は、１枚の球面凸レンズではマイナスの値であるので、ゼロ収差に近くするためには凸レンズと凹レンズ等を組み合わせてレンズ系全体の球面収差バランスを設計する。この場合は、一般的に最大開口部では、例えば図１０に示すように、ややプラスぎみとなる。対し、球面収差をマイナスの値（アンダー収差）にすると、レンズの外周付近を通過する光線の焦点の方がレンズの中心部を通過する光線の焦点よりもレンズに近くなり、このレンズ外周付近を通過する光線の焦点がレンズに近づく割合はレンズの中心から外周に向かう距離と相関し、レンズ外周に向かうほど大きくなる。
【００１４】
上記構成の本発明のような光ファイバの観察装置に用いられる顕微鏡レンズの大きさは、一般に１０ｍｍ前後であり、それに対し、光ファイバのコアの直径は１００μｍ程度であるために、図６，７を用いて示した前記光ファイバの透過光画像形成原理に基づいて形成される光ファイバの透過光画像において、コアの外周縁を認識するための暗部（図６のＥ）は、レンズの球面収差により、像の劣化の影響を受けにくい。
【００１５】
そこで、本出願人は、上記光ファイバの透過光画像を形成する装置に用いられる顕微鏡レンズの球面収差を故意にアンダー収差にして光ファイバの透過光画像形成を行ったところ、透過光画像におけるコア外周縁を認識するための暗部のコントラストがレンズの球面収差がない場合よりも向上し、その位置はレンズの球面収差がない場合とほぼ変わらないことを見出すことができた。
【００１６】
上記構成の本発明においては、この発見に基づき、光ファイバのコア観察装置に用いられる顕微鏡レンズの球面収差をアンダー収差に構成して光ファイバのコア観察装置を構成することにより、光ファイバの透過光画像におけるコア外周縁を認識するための暗部のコントラストを向上させることができるために、上記課題が解決される。
【００１７】
【発明の実施の形態】
以下、本発明の実施の形態について図面に基づいて説明する。図１には、本発明に係る光ファイバのコア観察装置の一実施形態例が示されている。同図に示すように、光ファイバ３の光軸Ｚに直交するＸ軸方向から光ファイバ３に透過光を照射する光源１が光ファイバ３に対して間隔を介して配置されており、光源１に対して光ファイバ３を挟んだ反対側には、光ファイバ３と間隔を介して顕微鏡レンズ９と、顕微鏡レンズ９によって結像する光ファイバ３の透過光画像を撮像する画像撮像部としての撮像カメラ６を備えた光ファイバ観察部が設けられて、本実施形態例の光ファイバのコア観察装置が形成されている。
【００１８】
また、本実施形態例では、顕微鏡レンズ９を、凸レンズと凹レンズとの組み合わせにより構成しており、図２の（ａ）に示すように、顕微鏡レンズ９の最大開口数０．３における球面収差Ａが−１ｍｍになるように構成している。本実施形態例の特徴的なことは、このような構成により、顕微鏡レンズ９の球面収差をアンダー収差（マイナスの値）に構成するアンダー収差構成部８を設けたことである。なお、顕微鏡レンズ９の中心付近を通る光の焦点距離ｆは６．５ｍｍであり、したがって、顕微鏡レンズ９の焦点距離ｆに対する前記球面収差Ａの割合Ａ／ｆは、約−０．１５と成している。
【００１９】
本実施形態例は以上のように構成されており、図３には本実施形態例の光ファイバのコア観察装置を用いて撮像カメラ６により撮像した光ファイバ３の透過光画像１０と、この透過光画像１０における計測ラインにおいて計測した輝度レベルが示されている。なお、図８には、図１において、アンダー収差構成部８を設けずに顕微鏡レンズ９の球面収差をゼロ収差とした場合の光ファイバ３の透過光画像１０と、この透過光画像１０における計測ラインで計測した輝度レベルが示されている。また、図４の（ａ）には、図３に示した輝度レベルの拡大図が示されており、同図の（ｂ）には、同図の（ａ）における破線枠Ｂ内の輝度分布が示されている。
【００２０】
図３，８に示した光ファイバ３の透過光画像１０における明暗パターンのコア外周縁を示す暗部のコントラストの高さ（大きさ）を比較する場合、図４の（ａ）に示した輝度レベルの最高輝度と最小輝度の差（図中Ａ）の大小や、同図の（ｂ）に示される暗部の輝度分布を例えば２次曲線に近似したときの、２次係数ａの大小で比較することができる。すなわち、これらＡ，ａが大きいほど透過光画像１０のコア外周縁を示す暗部のコントラストが大きくなる。
【００２１】
なお、上記コントラストは、光ファイバ３の位置（光ファイバ３と顕微鏡レンズ９との距離）によって変わるものであり、また、図６に示したように、光ファイバ３の外部を通る光は平行光、光ファイバ３の内部を通る光は非平行光であるため、コア４の観察倍率は、光ファイバ３と顕微鏡レンズ９の距離によって変化するものである。そこで、本出願人は、コア４とクラッド５の倍率が共に約１０倍で一致する位置に光ファイバ３を固定し、開口数が０．３であり最大開口数での球面収差０にした顕微鏡レンズ９を用いたコア観察装置と、本実施形態例のように、アンダー収差構成部８によって最大開口数での球面収差を−１ｍｍにした顕微鏡レンズ９を用いたコア観察装置において、それぞれ光ファイバ３の透過光画像１０を観察し、透過光画像１０におけるコア外周縁を示す暗部のコントラストの強弱を上記Ａ，ａにより比較した。その結果を表１に示す。
【００２２】
【表１】
0003571890.tif 000002
【００２３】
なお、表１において、コア４とクラッド５の倍率が一致する光ファイバ位置は光線追跡法により求めた。また、表１のａおよびＡはカメラ出力信号のＩＲＥ（Ｔｈｅ  Ｉｎｓｔｉｔｕｒｅ  ｏｆ  Ｒａｔｉｏ  Ｅｎｇｉｎｅｅｒｓ）１５からＩＲＥ７３の範囲を８ｂｉｔＡ／Ｄコンバータでデジタルに変換した実験値である（ＩＲＥ１００の信号は輝度１００％の白色を示し、ＩＲＥは映像信号における輝度の大きさを％で示した値である）。
【００２４】
この表１から明らかなように、顕微鏡レンズ９の球面収差を０にした光ファイバのコア観察装置に比べ、本実施形態例のように、顕微鏡レンズ９の球面収差をアンダー収差にした光ファイバのコア観察装置の方が、輝度分布の２次係数ａおよび最高輝度と最小輝度の差Ａは共に大きくなり、それにより、光ファイバ３の透過光画像１０におけるコア外周部を認識するための暗部のコントラストが強くなることが確認された。
【００２５】
本実施形態例によれば、上記のように、光ファイバ３に透過光を照射して形成される光ファイバ３の透過光画像１０において、コア４の外周縁を認識するための暗部のコントラストを向上させることができるために、Ｓ／Ｎ比（ｓｉｇｎａｌ−ｔｏ−ｎｏｉｓｅ−ｒａｔｉｏ）を向上させることが可能となり、コア４の位置の検出精度を向上させることができる。そのため、たとえ撮像カメラ６の電気回路で発生する非定常ノイズや、ガラスの屈折率のゆらぎなどによって発生する静的なノイズなどによって、光ファイバ３の透過光画像１０に縞模様が形成されたりするといったノイズが生じたとしても、そのノイズがコア４とクラッド５との境界部と誤認識されるといったことはなく、コア４の位置を正確に検出することができる。
【００２６】
また、本実施形態例によれば、光源１として発光ダイオードを用いても、光ファイバ３の透過光画像１０に干渉縞形成されることを抑制できるために、より一層正確にコア４の位置を検出することができる。
【００２７】
なお、本出願人は、上記実施形態例において、光ファイバ３の配設固定位置を定めるために、顕微鏡レンズ９の物体面（例えば図９に示すように、不透明な平面状の物体をこの物体面に配設したときに、顕微鏡レンズによってこの物体の像を焦点が合った状態で明確に捉えることができる面、言い換えれば、ある平面状の物体をベストフォーカスで捉えるために、この物体を配設する面）から光ファイバ３の中心までの距離（図９の（ｂ）のシフト量）と、コア倍率／クラッド倍率との関係を調べた。また、上記物体面から光ファイバ３の中心までの距離と、図３，８に示すビーム幅の関係も検討した。これらの検討結果が図５に示されている。
【００２８】
同図において、横軸は、上記物体面の光ファイバ３の中心からの距離を、クラッド５の直径で割った値を示しており、図中△は、光ファイバ３の透過光画像１０におけるコアの拡大倍率をクラッドの拡大倍率で割った値を示し、図中○は、上記ビーム幅をクラッド５の外径（クラッド幅）で割った値を示している。
【００２９】
同図に示すように、物体面のシフト量が大きくなる（光ファイバ３を顕微鏡レンズ９から遠ざける）につれてコア倍率は減少するが、クラッド倍率は１０．０４倍と一定であるために、コア倍率をクラッド倍率で割った値は右下がりのグラフとなり、コア倍率とクラッド倍率が一致するのは、クラッド直径に対する物体面シフト量の比率が０．２８５５のときである。そして、このとき、ビーム幅をクラッド幅で割った値は０．２６１６である。
【００３０】
これらの関係は、表２に示すシュミレーションデータから求めたものであり、表２には、顕微鏡レンズ９の球面収差をゼロ収差とした場合について、上記と同様に物体面の位置とコア倍率およびビーム幅の関係をシュミレーションにより求めた結果も同様に示してある。
【００３１】
【表２】
0003571890.tif 000003
【００３２】
表２から明らかなように、物体面の位置とコア倍率およびビーム幅の関係は、顕微鏡レンズ９の球面収差がゼロ収差の場合とアンダー収差の場合とでは異なるために、上記光ファイバ３の透過光画像１０のコントラストを求める際に、顕微鏡レンズ９の球面収差がゼロ収差の場合とアンダー収差の場合とでは光ファイバ３の配設の位置を変えて、上記の如く、コア倍率とクラッド倍率とが等しくなる位置において光ファイバ３の透過光画像１０を撮像し、そのコントラストを求めた。
【００３３】
なお、表２から、顕微鏡レンズ９の球面収差をゼロ収差とし、コア倍率＝クラッド倍率となる位置でのビーム幅／クラッド径の数値を計算すると０．３１１となり、アンダー収差にした場合はこの値が０．２６２となり、顕微鏡レンズ９の球面収差をアンダー収差としてコア観察装置を構成した場合の方が顕微鏡レンズ９の球面収差をゼロ収差としてコア観察装置を構成するよりも上記ビーム幅が狭くなることが分かる。
【００３４】
このように、ビーム幅が狭いと、このビーム幅内（透過光画像１０における中心付近の明るい部分）の光の密度が高くなって明るくなり、特に、顕微鏡レンズ９の球面収差がゼロ収差の場合の透過光画像１０の輝度を基準とした場合、顕微鏡レンズ９の球面収差がアンダー収差のときの透過光画像１０においては、ビーム端に近い光ほどより多くの光が中心に絞り込まれていき、図３，８の輝度レベルからも明らかなように、ビーム端側の輝度レベルが高くなる。したがって、上記ビーム幅／クラッド幅の比較結果によっても、顕微鏡レンズ９の球面収差をアンダー収差とした方がゼロ収差とするよりもコア４の外周縁を認識するための暗部のコントラストが強くなることが確認された。
【００３５】
なお、本発明は上記実施形態例に限定されることはなく様々な実施の態様を採り得る。例えば、上記実施形態例では、アンダー収差構成部８により、顕微鏡レンズ９の最大開口数０．３での球面収差を−１ｍｍとしたが、例えば図２の（ｂ）に示すように、顕微鏡レンズ９の最大開口数０．３における球面収差を−２ｍｍにしてもよいし、顕微鏡レンズ９の球面収差の値は特に限定されるものではなく、マイナスの値に適宜設定されるものである。上記実施形態例において、球面収差を例えば−２ｍｍにすれば、光ファイバ３の透過光画像１０におけるコア４の境界部のコントラストをより一層向上させることができる。
【００３６】
ただし、球面収差の値を大きくしすぎると、透過光画像の劣化が現れてくるのに加え、透過光画像の最も明るい部分の輝度が過剰に明るくなり、例えば、輝度測定器の測定レンジを越えるようになる可能性もあるため、例えば顕微鏡レンズ９の最大開口数が０．３であり、顕微鏡レンズ９の焦点距離ｆ（レンズ中心付近を通る光の焦点距離）が６．５の場合には、最大開口数における球面収差Ａは−０．５ｍｍから−４ｍｍ程度にして顕微鏡レンズ９の焦点距離ｆに対する球面収差Ａの割合Ａ／ｆを約−０．０７から約−０．６とすることが好ましい。なお、Ａ／ｆを上記値にすることにより、光ファイバ３の透過光画像１０におけるコア外周縁の暗部のコントラストを高め、かつ、輝度測定器において良好な測定が行えることが実験により確認されている。
【００３７】
また、顕微鏡レンズ９の焦点距離ｆが６．５ｍｍと異なる場合には、顕微鏡レンズ９の最大開口数における球面収差Ａを上記値とは異なる値に設定し、それにより、Ａ／ｆを約−０．０７から約−０．６とすれば上記と同様の効果を奏することができる。ただし、このように、顕微鏡レンズ９の焦点距離ｆを異なるものとしたときには、顕微鏡レンズ９と光ファイバ３との距離を変えて、例えば光ファイバ３の透過光画像におけるコア倍率とクラッド倍率が等しくなるように、顕微鏡レンズ９と光ファイバ３の距離を設定する必要がある。
【００３８】
さらに、上記実施形態例では顕微鏡レンズ９の最大開口数は０．３としたが、例えば図２の（ｃ）に示すように、顕微鏡レンズ９の最大開口数は０．５としても良く、それ以外の値としても良い。最大開口数が０．５の顕微鏡レンズ９でも、この顕微鏡レンズ９の開口数が０．３の部分の球面収差が例えば−０．５ｍｍから−４ｍｍ程度で上記と同様の値であれば、上記と同様の効果を奏することができる。
【００３９】
さらに、上記実施形態例では、光ファイバ３の透過光画像１０におけるコア倍率とクラッド倍率が一致する焦点位置において光ファイバ３の透過光画像を観測し、その位置において得られる透過光画像１０におけるコア４の外縁部の暗部のコントラストを測定し、顕微鏡レンズ９の球面収差が０の場合と比較したが、透過光画像１０におけるコア倍率とクラッド倍率が異なる焦点位置において同様に透過光画像１０におけるコア外縁部のコントラストの比較を行った場合にも上記実施形態例と同様の結果を得ることができる。ただし、この場合は、予め焦点位置の変化に対するコア像倍率の変化を求めておき、それにより、コアの位置を補正することが必要となる。
【００４０】
さらに、上記実施形態例では、顕微鏡レンズ９を凸レンズと凹レンズとの組み合わせにより構成し、それにより、球面収差をアンダー収差に構成したが、顕微鏡レンズ９は凸レンズと凹レンズとを組み合わせた球面収差がゼロ収差のレンズにより構成し、このレンズと撮像カメラ６とを近づけることにより、顕微鏡レンズ９の球面収差をアンダー収差に構成し、この構成をアンダー収差構成部としても良い。
【００４１】
さらに、上記実施形態例では、光源１からの透過光を光ファイバ３の光軸Ｚに直交するＸ軸方向から光ファイバ３に照射する光ファイバのコア観察装置としたが、光源１からの透過光を光ファイバ３の光軸Ｚに直交するＹ軸方向から照射する光ファイバのコア観察装置としても良く、前記Ｘ軸方向とＹ軸方向の両方から光ファイバ３に透過光を照射する光ファイバのコア観察装置としても良い。このように、光ファイバ３にＸ軸方向とＹ軸方向の両方から透過光を照射することにより、光ファイバ３のコアの位置をＸ軸方向とＹ軸方向の両方から観察し、非常に正確に検出することができる。
【００４２】
【発明の効果】
本発明によれば、光源からの透過光を光ファイバに照射して光ファイバを透過した光を顕微鏡レンズに入射させ、顕微鏡レンズによって結像する透過光画像を画像撮像部によって撮像する装置の顕微鏡レンズの球面収差をアンダー収差に構成することにより、透過光画像における光ファイバのコア外周縁の暗部のコントラストを高くすることができるために、それにより、透過光画像のコア像のＳ／Ｎ比を向上させることができる。そのため、光ファイバのコアの位置の検出精度を向上させることが可能となり、それにより、画像撮像部における非定常ノイズをキャンセルするための平均化処理時間の短縮化を図ることが可能となり、また、定常ノイズによるコア位置の誤認識を防ぐことができる。
【００４３】
また、上記顕微鏡レンズの最大開口数における球面収差をＡとしたときに該顕微鏡レンズの焦点距離ｆに対する該球面収差Ａの割合Ａ／ｆを約−０．０７から約−０．６とした本発明によれば、顕微鏡レンズの最大開口数における球面収差Ａの焦点距離ｆに対する割合Ａ／ｆをこの値にすることにより、球面収差の絶対値を大きくすることにより生じる光ファイバの透過光画像の劣下や透過光画像の最も明るい部分の輝度が過剰に明るくなるといった問題が生じることを防ぐことが可能となり、かつ、前記の如く、光ファイバの透過光画像におけるコア外縁部の暗部のコントラストを向上させることができるために、非常に正確にコア位置の検出を行うことができる。
【図面の簡単な説明】
【図１】本発明に係る光ファイバのコア観察装置の一実施形態例を示す構成図である。
【図２】本発明に係る光ファイバのコア観察装置に設けられる顕微鏡レンズの球面収差の例を示す収差図である。
【図３】上記実施形態例の光ファイバのコア観察装置により観察される光ファイバの透過光画像と、この透過光画像において計測ラインで測定した輝度レベルを示す説明図である。
【図４】図３に示した輝度レベルの拡大図（ａ）と、（ａ）の破線枠Ｂの輝度分布の拡大図である。
【図５】上記実施形態例の光ファイバコア観察装置における顕微鏡レンズの焦点面とコア倍率および光源のビーム幅の関係を示すグラフである。
【図６】光源からの透過光を光ファイバに照射して光ファイバの透過光画像を形成する原理を模式的に示した説明図である。
【図７】図６の破線枠Ｒ内の拡大図である。
【図８】球面収差がゼロ収差の顕微鏡レンズを用いて結像させた光ファイバの透過光画像と、透過光画像を計測ラインで計測した輝度レベルを示す説明図である。
【図９】物体面および物体面の光ファイバの中心距離からのシフト量の説明図である。
【図１０】凸レンズと凹レンズの組み合わせによってレンズ系全体の球面収差をゼロ収差に近づけたレンズ系の収差図である。
【符号の説明】
１  光源
３  光ファイバ
４  コア
５  クラッド
６  撮像カメラ
８  アンダー収差構成部
９  顕微鏡レンズ
１０  透過光画像
【図１】
0003571890.tif 000004
【図３】
0003571890.tif 000005
【図２】
0003571890.tif 000006
【図４】
0003571890.tif 000007
【図５】
0003571890.tif 000008
【図６】
0003571890.tif 000009
【図７】
0003571890.tif 000010
【図８】
0003571890.tif 000011
【図９】
0003571890.tif 000012
【図１０】
0003571890.tif 000013